(57)【要約】【課題】  設備機器管理システムに接続して使用可能で、遠隔操作で操作者の意図した運転を行えるようにした設備機器を提供する。【解決手段】  設備機器である浴室暖房換気乾燥装置１は、設備機器管理システム１００と接続される通信制御部１０と、外部端末装置１０５から送信された指示情報Ｄ１に基づき換気ファン１１、循環ファン１２及びヒータ１３を制御する制御部１６を備える。制御部１６は、外部端末装置１０５から送信された指示情報Ｄ１に対して通知情報Ｄ２を送信し、通知情報Ｄ２に対して外部端末装置から送信された確認情報Ｄ３を受信すると、指示情報Ｄ１に基づく制御を行うか否かを判断する。【選択図】    図１
2014236281.tif 000002
【特許請求の範囲】
【請求項１】
設備機器を操作可能な外部端末装置から送信された情報の受信及び前記外部端末装置への情報の送信を行う通信手段と、
前記外部端末装置から送信された指示情報を前記通信手段で受信し、前記外部端末装置からの指示情報に基づく制御を行う制御手段とを備え、
前記制御手段は、前記外部端末装置で通知される通知情報を、前記通信手段で前記外部端末装置に送信する
ことを特徴とする設備機器。
【請求項２】
前記制御手段は、前記通知情報に対して前記外部端末装置から送信された確認情報を受信し、前記外部端末装置からの指示情報に基づく制御の実行の有無が、前記外部端末装置からの確認情報に基づき設定される
ことを特徴とする請求項１に記載の設備機器。
【請求項３】
前記制御手段は、前記外部端末装置から送信された指示情報に対し、指示情報で指示された運転に関連する情報を通知する通知情報を、前記外部端末装置に送信する
ことを特徴とする請求項１または請求項２に記載の設備機器。
【請求項４】
前記制御手段は、設置場所の環境に関連する情報を通知する通知情報を、前記外部端末装置に送信する
ことを特徴とする請求項１または請求項２に記載の設備機器。
【請求項５】
前記制御手段は、前記外部端末装置の状態を確認して通知する通知情報を、前記外部端末装置に送信する
ことを特徴とする請求項１または請求項２に記載の設備機器。
【請求項６】
通信回線と接続された主制御手段と、
前記通信回線と接続される設備機器を備え、
前記設備機器は、
前記通信回線と接続され、前記設備機器を操作可能な外部端末装置から送信された情報の受信及び前記外部端末装置への情報の送信を行う通信手段と、
前記外部端末装置から送信された指示情報を前記通信手段で受信し、前記外部端末装置からの指示情報に基づく制御を行う制御手段とを備え、
前記制御手段は、前記外部端末装置で通知される通知情報を、前記通信手段で前記外部端末装置に送信する
ことを特徴とする設備機器管理システム。
【発明の詳細な説明】
【技術分野】
【０００１】
本発明は、住宅に設置される設備機器及び設備機器が接続された設備機器管理システムに関する。
【背景技術】
【０００２】
近年、ホームエネルギーマネージメントシステム（ＨＥＭＳ）と称される住宅に設置される家電機器等の設備機器の管理システムが提案されている。このような設備機器管理システムでは、携帯電話等の外部の端末装置で設備機器を遠隔操作できるようにした技術が提案されている（例えば、特許文献１参照）。
【０００３】
また、携帯電話等の外部の端末装置で設備機器を遠隔操作できるようにすると共に、外部端末装置での操作で正常に動作していることを、外部端末装置に通知できるようにした技術が提案されている（例えば、特許文献２参照）。
【先行技術文献】
【特許文献】
【０００４】
【特許文献１】特開２００４−１２８５３２号公報
【特許文献２】特開２００３−１１１１７０号公報
【発明の概要】
【発明が解決しようとする課題】
【０００５】
携帯電話等の外部端末装置で設備機器の操作をできるようにすると、外出先での操作が可能となる。しかし、外部端末装置で遠隔操作をする操作者は、設備機器の近くにいないため、外部端末装置での操作による機器の動作状態を認識できない。このため、操作者は、外部端末装置で意図しない操作を行った場合に、設備機器が意図しない動作状態となっていることを認識できない。
【０００６】
これに対し、外部端末装置での操作で正常に動作していることを、外部端末装置に通知できるようにすることで、操作者は、外部端末装置で意図しない操作を行った場合に、操作をやり直すことが可能になる。
【０００７】
しかし、操作者が外部端末装置で意図しない操作を行った場合に、設備機器が意図しない動作状態で運転を開始するので、操作者が操作の見直しを行わなければ、設備機器では意図しない動作状態での運転が継続される。
【０００８】
これにより、設備機器の設置場所が不快な環境になったり、暖房の必要がない状態で暖房を行う等、無駄な電力消費が発生する虞があった。
【０００９】
本発明は、このような課題を解決するためになされたもので、遠隔操作で操作者の意図した運転を行えるようにした設備機器及び設備機器が接続された設備機器管理システムを提供することを目的とする。
【課題を解決するための手段】
【００１０】
上述した課題を解決するため、本発明は、設備機器を操作可能な外部端末装置から送信された情報の受信及び外部端末装置への情報の送信を行う通信手段と、外部端末装置から送信された指示情報を通信手段で受信し、外部端末装置からの指示情報に基づく制御を行う制御手段とを備え、制御手段は、外部端末装置で通知される通知情報を、通信手段で外部端末装置に送信する設備機器である。
【００１１】
また、本発明は、通信回線と接続された主制御手段と、通信回線と接続される設備機器を備え、設備機器は、通信回線と接続され、設備機器を操作可能な外部端末装置から送信された情報の受信及び外部端末装置への情報の送信を行う通信手段と、外部端末装置から送信された指示情報を通信手段で受信し、外部端末装置からの指示情報に基づく制御を行う制御手段とを備え、制御手段は、外部端末装置で通知される通知情報を、通信手段で外部端末装置に送信する設備機器管理システムである。
【発明の効果】
【００１２】
本発明によれば、外部端末装置を操作する操作者に、設備機器からの通知情報を送信して確認を行わせることができ、設備機器では、操作者の確認によって、操作者が意図した運転を行うことができる。
【図面の簡単な説明】
【００１３】
【図１】本実施の形態の設備機器の一例を示す浴室暖房換気乾燥装置の機能ブロック図である。
【図２】本実施の形態の設備機器管理システムの一例を示す構成図である。
【図３】操作部の一例を示す正面図である。
【図４】外部端末装置の画面表示例を示す正面図である。
【図５】外部端末装置での操作で設備機器を制御する動作の一例を示すフローチャートである。
【図６】外部端末装置と設備機器との間で送受される情報の流れを示す説明図である。
【図７】外部端末装置での表示例を示す説明図である。
【図８】外部端末装置での操作で設備機器を制御する動作の他の例を示すフローチャートである。
【図９】外部端末装置と設備機器との間で送受される情報の流れを示す説明図である。
【図１０】外部端末装置での表示例を示す説明図である。
【図１１】外部端末装置での操作を規制する動作の一例を示すフローチャートである。
【図１２】外部端末装置と設備機器との間で送受される情報の流れを示す説明図である。
【図１３】外部端末装置での表示例を示す説明図である。
【図１４】外部端末装置が正常に作動しているか確認する動作の一例を示すフローチャートである。
【図１５】外部端末装置と設備機器との間で送受される情報の流れを示す説明図である。
【図１６】外部端末装置での表示例を示す説明図である。
【図１７】外部端末装置が正常に作動しているか確認する動作の他の例を示すフローチャートである。
【図１８】外部端末装置と設備機器との間で送受される情報の流れを示す説明図である。
【図１９】外部端末装置での表示例を示す説明図である。
【図２０】外部端末装置での表示例を示す説明図である。
【発明を実施するための形態】
【００１４】
以下、図面を参照して、本発明の設備機器及び設備機器管理システムの実施の形態について説明する。
【００１５】
＜本実施の形態の設備機器及び設備機器管理システムの構成例＞
図１は、本実施の形態の設備機器の一例を示す浴室暖房換気乾燥装置の機能ブロック図、図２は、本実施の形態の設備機器管理システムの一例を示す構成図である。
【００１６】
本実施の形態の設備機器としての浴室暖房換気乾燥装置１は、ホームエネルギーマネージメントシステム（ＨＥＭＳ）と称される設備機器管理システム１００に接続されて使用される。
【００１７】
設備機器管理システム１００は、住宅２００に宅内ネットワーク１０１が構成される。設備機器管理システム１００は、ホームゲートウエイと称される主制御機器１０２が住宅２００に設置され、主制御機器１０２が宅内ネットワーク１０１に接続される。
【００１８】
また、設備機器管理システム１００は、主制御機器１０２で取得、生成された情報等、各種情報が表示される表示機器１０３が住宅２００に設置され、表示機器１０３が宅内ネットワーク１０１に接続される。
【００１９】
本実施の形態の浴室暖房換気乾燥装置１は、宅内ネットワーク１０１に接続されることで、設備機器管理システム１００に組み込まれ、宅内ネットワーク１０１に接続された主制御機器１０２との通信機能を備える。
【００２０】
設備機器管理システム１００は、浴室暖房換気乾燥装置１以外の設備機器として、例えば、床暖房装置、熱交換型換気装置等の換気装置等が、宅内ネットワーク１０１に接続される。更に、設備機器としては、エアコンディショナー、洗濯機等の家電機器２、太陽光発電装置等のエネルギー機器３等が宅内ネットワーク１０１に接続され、各設備機器が、宅内ネットワーク１０１に接続された主制御機器１０２との通信機能を備える。
【００２１】
設備機器管理システム１００は、公衆回線網等の外部ネットワーク１０４と接続される。設備機器管理システム１００は、宅内ネットワーク１０１に接続される主制御機器１０２、浴室暖房換気乾燥装置１、家電機器２及びエネルギー機器３等が、外部ネットワーク１０４に接続されるスマートフォン等の外部端末装置１０５、サーバ等の外部システム１０６等との通信機能を備える。
【００２２】
設備機器管理システム１００は、外部端末装置１０５を設備機器管理システム１００に接続して使用するアプリケーションが外部端末装置１０５にインストールされる。
【００２３】
設備機器管理システム１００は、外部端末装置１０５にインストールされたアプリケーションにより、浴室暖房換気乾燥装置１、家電機器２及びエネルギー機器３等の設備機器の所定の操作が、外部端末装置１０５で行われる。
【００２４】
すなわち、設備機器管理システム１００は、外部端末装置１０５が操作されることで、所定の指示情報Ｄ１が、外部端末装置１０５から設備機器管理システム１００に送信される。
【００２５】
また、設備機器管理システム１００は、外部端末装置１０５での操作で浴室暖房換気乾燥装置１等の設備機器の運転を行う場合、所定の通知情報Ｄ２が、操作の対象とされた設備機器、あるいは、設備機器と接続された主制御機器１０２から外部端末装置１０５に送信される。
【００２６】
更に、設備機器管理システム１００は、通知情報Ｄ２に対して外部端末装置１０５が操作されることで、所定の確認情報Ｄ３が、外部端末装置１０５から設備機器管理システム１００に送信される。
【００２７】
設備機器管理システム１００は、外部端末装置１０５から送信される所定の指示情報Ｄ１として、浴室暖房換気乾燥装置１等の設備機器を操作する指示情報Ｄ１０が、操作の対象とされた設備機器、あるいは、設備機器と接続された主制御機器１０２で受信される。
【００２８】
設備機器管理システム１００は、外部端末装置１０５から受信した指示情報Ｄ１０に対して、所定の通知情報Ｄ２が設備機器あるいは主制御機器１０２から外部端末装置１０５に送信される。
【００２９】
本例では、設備機器管理システム１００は、設備機器あるいは主制御機器１０２から送信される所定の通知情報Ｄ２として、指示情報Ｄ１０で指示された運転の開始、運転の停止、設定の変更等、外部端末装置１０５での操作の内容を確認させて、操作に応じた処理の実行の有無を選択させる通知情報Ｄ２０ａが、外部端末装置１０５に送信される。
【００３０】
また、設備機器管理システム１００は、設備機器あるいは主制御機器１０２から送信される所定の通知情報Ｄ２として、設備機器が設置された場所の状態等に応じて、指示情報Ｄ１０で指示された外部端末装置１０５での操作に応じた処理の実行の有無を選択させる通知情報Ｄ２０ｂが、外部端末装置１０５に送信される。
【００３１】
更に、設備機器管理システム１００は、設備機器あるいは主制御機器１０２から送信される所定の通知情報Ｄ２として、指示情報Ｄ１０で指示された外部端末装置１０５での操作を無効とする通知情報Ｄ２１が、外部端末装置１０５に送信される。
【００３２】
設備機器管理システム１００は、浴室暖房換気乾燥装置１等から送信された各種通知情報Ｄ２が、外部端末装置１０５にインストールされたアプリケーションにより、外部端末装置１０５で目視可能かつ所定の操作が可能な情報として出力される。
【００３３】
設備機器管理システム１００は、外部端末装置１０５から送信される所定の確認情報Ｄ３として、通知情報Ｄ２０ａあるいは通知情報Ｄ２０ｂに対する外部端末装置１０５の操作で、操作に応じた処理の実行の有無を選択した確認情報Ｄ３０が、操作の対象とされた設備機器、あるいは、設備機器と接続された主制御機器１０２に送信される。
【００３４】
設備機器管理システム１００は、外部端末装置１０５から送信された確認情報Ｄ３０が、操作の対象とされた設備機器、あるいは、設備機器と接続された主制御機器１０２で受信される。
【００３５】
設備機器管理システム１００は、外部端末装置１０５から受信した確認情報Ｄ３０で処理の実行が選択されていると、操作の対象とされた設備機器では、指示情報Ｄ１０で指示された外部端末装置１０５での操作に応じた処理が実行される。
【００３６】
また、設備機器管理システム１００は、外部端末装置１０５から受信した確認情報Ｄ３０で処理の非実行が選択されていると、操作の対象とされた設備機器では、指示情報Ｄ１０で指示された外部端末装置１０５での操作に応じた処理が実行されない。
【００３７】
設備機器管理システム１００は、浴室暖房換気乾燥装置１等の設備機器の運転に関連する運転情報が主制御機器１０２に入力され、浴室暖房換気乾燥装置１等の運転情報が主制御機器１０２から外部端末装置１０５に出力される。設備機器管理システム１００は、設備機器の運転情報として、例えば浴室暖房換気乾燥装置１では、実行中の運転モード、運転モードにおける風量の設定、消費電力等の情報が、主制御機器１０２から外部端末装置１０５に出力される。
【００３８】
そして、設備機器管理システム１００は、浴室暖房換気乾燥装置１等の運転情報が、外部端末装置１０５にインストールされたアプリケーションにより、外部端末装置１０５で例えば目視可能な情報として出力される。
【００３９】
また、設備機器管理システム１００は、外部端末装置１０５に設けられた近接無線通信機能等を利用して、浴室暖房換気乾燥装置１等の運転情報が浴室暖房換気乾燥装置１等から外部端末装置１０５に出力され、浴室暖房換気乾燥装置１等の運転情報が外部端末装置１０５で目視可能な情報として出力される。
【００４０】
設備機器管理システム１００は、設置された浴室暖房換気乾燥装置１等の保守、管理を行う機器メーカのサーバ等の外部システム１０６に接続される構成としても良い。
【００４１】
設備機器管理システム１００は、浴室暖房換気乾燥装置１等の保守、管理に必要な管理情報が主制御機器１０２に入力され、浴室暖房換気乾燥装置１等の管理情報が主制御機器１０２から外部システム１０６に出力される。また、浴室暖房換気乾燥装置１等の運転に伴う運転管理情報が主制御機器１０２から外部システム１０６に出力される。
【００４２】
設備機器管理システム１００は、設備機器の管理情報として、例えば浴室暖房換気乾燥装置１では、浴室暖房換気乾燥装置１を特定する機器情報、浴室暖房換気乾燥装置１の使用者情報等が、所定の操作で外部システム１０６に出力される。また、設備機器管理システム１００は、設備機器の運転管理情報として、例えば浴室暖房換気乾燥装置１では、浴室暖房換気乾燥装置１の電源投入時等の所定の起算日、起算日からの運用時間、運用時間に伴う点検時期等が外部システム１０６に出力される。
【００４３】
次に、本実施の形態の浴室暖房換気乾燥装置１の機能について説明する。本実施の形態の浴室暖房換気乾燥装置１は、宅内ネットワーク１０１及び宅内ネットワーク１０１を介して外部ネットワーク１０４と接続される通信制御部１０を備え、設備機器管理システム１００に接続されて使用される。
【００４４】
浴室暖房換気乾燥装置１は、住宅２００の浴室２０１に設置され、浴室２０１及び他室の換気、浴室２０１の暖房、浴室２０１内にある被乾燥物の乾燥等を行う機能を備える。
【００４５】
浴室暖房換気乾燥装置１は、上述した機能を実現するため、本例では、浴室２０１の空気を吸い込んで、屋外に排気する換気ファン１１と、浴室２０１から空気を吸い込み、浴室２０１から吸い込んだ空気を循環させて浴室２０１に吹き出す循環ファン１２と、循環ファン１２で吹き出される空気を加熱するヒータ１３を備える。
【００４６】
また、浴室暖房換気乾燥装置１は、運転モードの選択、運転の停止等の利用者の操作を受け、利用者の操作に基づく制御情報を出力する操作部１４と、浴室２０１に関連した所定の状態を検出し、浴室２０１に関連した関連情報を出力するセンサ１５を備える。
【００４７】
更に、浴室暖房換気乾燥装置１は、操作部１４から入力された制御情報及びセンサ１５から入力された関連情報に基づき、換気ファン１１、循環ファン１２及びヒータ１３等を制御する制御部１６を備える。
【００４８】
通信制御部１０は、設備機器管理システム１００を構成する宅内ネットワーク１０１に接続された浴室暖房換気乾燥装置１と主制御機器１０２との通信機能、浴室暖房換気乾燥装置１と、外部ネットワーク１０４に接続された外部端末装置１０５及び外部システム１０６との通信機能を実現する通信手段の一例である。
【００４９】
通信制御部１０は、宅内ネットワーク１０１に接続された主制御機器１０２等から送信された各種情報を受信する。また、通信制御部１０は、宅内ネットワーク１０１に接続された主制御機器１０２に各種情報を送信する。通信制御部１０は、浴室暖房換気乾燥装置１から主制御機器１０２へ、浴室暖房換気乾燥装置１の運転情報、管理情報及び運転管理情報等の各種情報を送信する。
【００５０】
更に、通信制御部１０は、宅内ネットワーク１０１と外部ネットワーク１０４が接続されることで、外部端末装置１０５から送信された指示情報Ｄ１、確認情報Ｄ３等の各種情報を受信する。また、通信制御部１０は、通知情報Ｄ２等の各種情報を外部端末装置１０５に送信する。
【００５１】
また、通信制御部１０は、宅内ネットワーク１０１と外部ネットワーク１０４が接続されることで、浴室暖房換気乾燥装置１から外部端末装置１０５あるいは外部システム１０６等の外部機器へ、浴室暖房換気乾燥装置１の運転情報、管理情報及び運転管理情報等の各種情報を送信する。
【００５２】
ここで、通信制御部１０は、浴室暖房換気乾燥装置１に予め実装されている装置であっても良いし、浴室暖房換気乾燥装置１とは独立した装置を、着脱可能に設ける構成としても良い。
【００５３】
換気ファン１１、循環ファン１２及びヒータ１３は、制御部１６に制御される被制御手段の一例で、換気ファン１１及び循環ファン１２は、図示しない羽根車を回転させるモータの駆動の有無、回転数等が制御される。また、ヒータ１３は、駆動の有無、出力等が制御される。
【００５４】
操作部１４は操作手段の一例で、専用線を介して浴室暖房換気乾燥装置１と接続され、浴室２０１への入口となる洗面脱衣所等、浴室暖房換気乾燥装置１の設置場所の近傍に設置される。
【００５５】
センサ１５は検出手段の一例で、浴室２０１に関連した関連情報として、例えば、浴室暖房換気乾燥装置１に吸い込まれる空気の温度から、浴室２０１の温度を検出する温度検出センサを備える。センサ１５としては、浴室２０１内に人が居るか否か、浴室２０１内での人の動きを検出するため、浴室２０１内での人の動きを検出する人感センサを備えても良い。また、浴室２０１の照明スイッチの状態を検出するセンサを備えても良い。更に、浴室２０１の湿度を検出するセンサを備えてもよい。また、浴槽内の湯量、浴槽内の湯温、シャワーの使用状況、シャワーの湯温等を検出するセンサを備えてもよい。更に、浴室２０１の窓、扉の開閉を検出するセンサを備えてもよい。また、浴室暖房換気乾燥装置１以外の設備機器では、設置された場所の温度、湿度、照明の明るさ、音等を検出するセンサを備えても良い。
【００５６】
制御部１６は制御手段の一例で、操作部１４での操作及び外部端末装置１０５での操作で選択された運転モードで運転を実行する指示情報、運転を停止させる指示情報、運転モードにおける設定を変更する指示情報等に基づき、換気ファン１１、循環ファン１２及びヒータ１３を制御する。
【００５７】
制御部１６は、予め設定された所定のプログラムに従って実行される運転モードとして、換気ファン１１を駆動することで、所定の換気風量で常時の換気運転を行う２４時間換気運転モードを備える。
【００５８】
また、制御部１６は、循環ファン１２とヒータ１３を駆動することで、浴室２０１に温風を吹き出す暖房運転を行う暖房運転モードと、換気ファン１１を駆動することで、２４時間換気運転モードでの換気風量より多い所定の換気風量で主に浴室２０１の換気運転を行う換気運転モードを備える。
【００５９】
更に、制御部１６は、循環ファン１２とヒータ１３と換気ファン１１を駆動して、浴室２０１内の換気動作を行いながら、浴室内に温風を吹き出して乾燥運転を行う乾燥運転モードと、循環ファン１２を駆動して、浴室２０１内に浴室２０１の温度に応じて風を吹き出す涼風運転を行う涼風運転モードを備える。
【００６０】
制御部１６は、通信制御部１０が宅内ネットワーク１０１と接続され、宅内ネットワーク１０１が外部ネットワーク１０４と接続されて情報が入出力されることで、外部端末装置１０５から送信された指示情報Ｄ１０を受信する。
【００６１】
制御部１６は、外部端末装置１０５から受信した指示情報Ｄ１０に対し、指示情報Ｄ１０で指示された外部端末装置１０５での操作に応じた処理の実行の有無を選択させる通知情報Ｄ２０ａを生成して、外部端末装置１０５に送信する。
【００６２】
また、制御部１６は、外部端末装置１０５から受信した指示情報Ｄ１０に対し、センサ１５で検出された浴室２０１の温度等に応じて、指示情報Ｄ１０で指示された外部端末装置１０５での操作に応じた処理の実行の有無を選択させる通知情報Ｄ２０ｂを生成して、外部端末装置１０５に送信する。
【００６３】
制御部１６は、通知情報Ｄ２０ａあるいは通知情報Ｄ２０ｂに対して外部端末装置１０５から送信された確認情報Ｄ３０を受信する。制御部１６は、外部端末装置１０５から受信した確認情報Ｄ３０で処理の実行が選択されていると、指示情報Ｄ１０で指示された外部端末装置１０５での操作に応じて、換気ファン１１、循環ファン１２及びヒータ１３を制御する。
【００６４】
また、制御部１６は、外部端末装置１０５から受信した確認情報Ｄ３０で処理の非実行が選択されていると、指示情報Ｄ１０で指示された外部端末装置１０５での操作に応じた制御を実行しない。
【００６５】
制御部１６は、外部端末装置１０５での所定の操作、あるいは、特定の外部端末装置１０５での操作を有効とするか、無効とするかの設定が行われる。制御部１６は、外部端末装置１０５での操作を無効とする設定では、該当する外部端末装置１０５から受信した指示情報Ｄ１０に対し、外部端末装置１０５での操作を無効とする通知情報Ｄ２１を外部端末装置１０５に送信する。そして、制御部１６は、指示情報Ｄ１０で指示された外部端末装置１０５での操作に応じた制御を実行しない。
【００６６】
また、制御部１６は、宅内ネットワーク１０１で接続された通信制御部１０と主制御機器１０２との間で情報が入出力されることで、浴室暖房換気乾燥装置１で実行中の運転モードの種別、風量等、浴室暖房換気乾燥装置１の各種状態を示す運転情報、浴室暖房換気乾燥装置１の管理情報あるいは運転管理情報等を主制御機器１０２に出力する。
【００６７】
例えば、制御部１６は、主制御機器１０２からの要求に基づき、浴室暖房換気乾燥装置１の運転情報、管理情報あるいは運転管理情報等を主制御機器１０２に出力する。また、制御部１６は、操作部１４での操作に基づき、浴室暖房換気乾燥装置１の運転情報、管理情報あるいは運転管理情報等を主制御機器１０２に出力する。
【００６８】
更に、制御部１６は、宅内ネットワーク１０１で接続された通信制御部１０と主制御機器１０２との間で情報が入出力されることで、浴室暖房換気乾燥装置１の運転情報、管理情報あるいは運転管理情報等を、外部端末装置１０５あるいは外部システム１０６等の外部機器に出力する。
【００６９】
例えば、制御部１６は、外部ネットワーク１０４から宅内ネットワーク１０１に接続された外部端末装置１０５あるいは外部システム１０６からの要求に基づき、浴室暖房換気乾燥装置１の運転情報、管理情報あるいは運転管理情報等を、外部端末装置１０５あるいは外部システム１０６に出力する。
【００７０】
また、制御部１６は、操作部１４での操作に基づき、浴室暖房換気乾燥装置１の運転情報、管理情報あるいは運転管理情報等を、外部端末装置１０５あるいは外部システム１０６に出力する。
【００７１】
＜操作部の構成例＞
図３は、操作部の一例を示す正面図である。操作部１４は、運転モードを選択する運転モード選択ボタン１４ａと、運転を停止する停止ボタン１４ｂと、運転時間を設定する運転時間設定ボタン１４ｃを備える。
【００７２】
また、操作部１４は、運転モード選択ボタン１４ａで選択された運転モード、及び、各運転モードでの設定等を目視可能に出力する運転状態ランプ１４ｄを備える。更に、操作部１４は、障害の発生等を通知する通知ランプ１４ｅを備える。
【００７３】
操作部１４は、運転モード選択ボタン１４ａが押されると、選択された運転モードに対応する運転状態ランプ１４ｄが点灯する。また、選択された運転モードに対応する制御情報が制御部１６に出力される。
【００７４】
＜外部端末装置の構成例＞
図４は、外部端末装置の画面表示例を示す正面図である。外部端末装置１０５は、タッチパネル等と称される入力装置を有した表示部１０５ａを備える。外部端末装置１０５は、浴室暖房換気乾燥装置１を操作する運転操作画面１０５ｂとして、運転モードを選択する運転モード選択ボタン１０５ｃが表示される。外部端末装置１０５は、運転モード選択ボタン１０５ｃの部位に触れられると、選択された運転モードに対応する所定の指示情報Ｄ１が出力される。
【００７５】
＜本実施の形態の設備機器及び設備機器管理システムの動作例＞
図５は、外部端末装置での操作で設備機器を制御する動作の一例を示すフローチャート、図６は、外部端末装置と設備機器との間で送受される情報の流れを示す説明図、図７は、外部端末装置での表示例を示す説明図である。次に、各図を参照して、外部端末装置１０５での操作で浴室暖房換気乾燥装置１を運転する動作の一例について説明する。
【００７６】
図５のステップＳＡ１では、外部端末装置１０５での操作で送信された指示情報Ｄ１０が、浴室暖房換気乾燥装置１で受信される。すなわち、外部端末装置１０５で所望の運転モード選択ボタン１０５ｃに触れられて運転モードが選択されると、選択された運転モードに対応する指示情報Ｄ１０が、外部ネットワーク１０４から宅内ネットワーク１０１に接続された主制御機器１０２に送信される。
【００７７】
主制御機器１０２は、外部端末装置１０５から受信した指示情報Ｄ１０を、操作の対象とされた設備機器である浴室暖房換気乾燥装置１に送信する。なお、外部端末装置１０５から送信された指示情報Ｄ１０が、主制御機器１０２を経由せずに宅内ネットワーク１０１を介して設備機器で受信できるようにしても良い。
【００７８】
浴室暖房換気乾燥装置１では、外部端末装置１０５から送信された指示情報Ｄ１０を受信すると、図５のステップＳＡ２で、浴室暖房換気乾燥装置１の制御部１６が、指示情報Ｄ１０で指示された外部端末装置１０５での操作に応じた処理の実行の有無を選択させる通知情報Ｄ２０ａを生成して、外部端末装置１０５に送信する。
【００７９】
外部端末装置１０５は、浴室暖房換気乾燥装置１から送信された通知情報Ｄ２０ａを受信すると、図５のステップＳＡ３で、通知情報Ｄ２０ａに基づき図７に示す運転確認画面１０５ｄを表示して、外部端末装置１０５での操作に応じた処理の実行の有無を選択させる。
【００８０】
図７に示す運転確認画面１０５ｄでは、選択された操作、本例では選択された運転モードの確認を促す文言や図等の確認誘導画像１０５ｅと、選択された運転モードを実行するか否かを選択させる確認ボタン１０５ｆが表示される。  
【００８１】
例えば、外部端末装置１０５での操作で暖房運転が選択された場合、運転確認画面１０５ｄでは、図７に示すように、選択された運転モードが暖房運転であることを確認誘導画像１０５ｅで通知すると共に、暖房運転を実行するか否かを選択させる確認ボタン１０５ｆが表示される。
【００８２】
ここで、外部端末装置１０５で表示される各種運転確認画面は、外部端末装置１０５にインストールされたアプリケーションで行うこととしても良いし、浴室暖房換気乾燥装置１から受信した各種通知情報に画面表示のプログラムを組み込んで行うこととしても良い。
【００８３】
外部端末装置１０５は、通知情報Ｄ２０ａに対応して表示した運転確認画面１０５ｄで、確認ボタン１０５ｆが操作されると、操作に応じた処理の実行の有無を選択した確認情報Ｄ３０を送信する。
【００８４】
浴室暖房換気乾燥装置１は、通知情報Ｄ２０ａに対応した運転確認画面１０５ｄでの操作で外部端末装置１０５から送信された確認情報Ｄ３０を受信する。浴室暖房換気乾燥装置１は、確認情報Ｄ３０で処理の実行が選択されている場合、図５のステップＳＡ４で、指示情報Ｄ１０で指示された外部端末装置１０５での操作に応じて、換気ファン１１、循環ファン１２及びヒータ１３を制御する。
【００８５】
これに対し、浴室暖房換気乾燥装置１は、確認情報Ｄ３０で処理の非実行が選択されていると、図５のステップＳＡ５で、指示情報Ｄ１０で指示された外部端末装置１０５での操作を無効とし、指示情報Ｄ１０で指示された外部端末装置１０５での操作に応じた制御を実行しない。
【００８６】
外部端末装置１０５での操作で浴室暖房換気乾燥装置１等の設備機器の運転を行う場合、設備機器の操作者は、外出先から設備機器の遠隔操作が可能であり、例えば、帰宅時に居室や浴室２０１等を所望の状態にしておくことが可能になる。
【００８７】
一方、外部端末装置１０５で遠隔操作をする操作者は、設備機器の近くにいないため、外部端末装置１０５での操作による機器の動作状態を認識できない。このため、操作者が外部端末装置１０５で意図しない操作を行った場合に、意図しない操作に基づく制御が設備機器で行われると、操作者は、設備機器が意図しない動作状態となっていることを認識できない。
【００８８】
これにより、操作者が意図した運転と異なる運転が設備機器で行われて、設備機器の設置場所で室温が上がる、あるいは室温が下がる等、設備機器の設置場所が不快な環境になったり、暖房の必要がない状態で暖房を行う等、無駄な電力消費が発生する虞があった。
【００８９】
そこで、上述したように、外部端末装置１０５から受信した浴室暖房換気乾燥装置１等の設備機器を制御する指示情報Ｄ１０に対し、外部端末装置１０５での操作の内容を通知する通知情報Ｄ２０ａを外部端末装置１０５に送信して、外部端末装置１０５での操作に応じた処理の実行の有無を確認させる。
【００９０】
そして、外部端末装置１０５での操作の内容が確認されて確認情報Ｄ３０を受信すると、外部端末装置１０５での操作に応じて浴室暖房換気乾燥装置１等の設備機器が運転される。
【００９１】
このように、外部端末装置１０５を操作した操作者に、操作内容を確認させる通知を外部端末装置１０５を用いて行うことで、設備機器では、操作者が意図した運転を行うことができる。
【００９２】
これにより、外部端末装置１０５で遠隔操作をする操作者が、設備機器の近くにおらず、外部端末装置１０５での操作による機器の動作状態を認識できない場合であっても、操作者が意図しない運転が行われることが抑制され、設備機器の設置場所を、遠隔操作で操作者の所望する環境にすることができる。また、設備機器の無駄な運転が抑制され、消費電力を抑制することができる。
【００９３】
なお、外部端末装置１０５での操作で浴室暖房換気乾燥装置１等の設備機器の運転を行う構成では、外部端末装置１０５での操作対象とした全ての設備機器、あるいは、外部端末装置１０５で操作し得る項目の全てについて、外部端末装置１０５での操作に応じた処理の実行の有無を選択させて、操作内容の確認を行うようにしても良い。
【００９４】
これに対し、外部端末装置１０５での操作対象とした設備機器毎、あるいは、外部端末装置１０５で操作し得る項目毎に、操作の内容の確認の有無を設定できるようにしても良い。
【００９５】
例えば、浴室暖房換気乾燥装置１では、運転モード毎に操作の内容の確認の有無を設定できるようにしても良く、ヒータを使用する運転モード、例えば、暖房運転モードでは操作の内容の確認を要求し、ヒータを使用しない運転モード、例えば、換気運転モードでは操作の内容の確認を非要求とする設定としても良い。
【００９６】
上述した操作の内容の確認の有無の設定は、各設備機器に予め設定されていても良い。また、主制御機器１０２で設定されてもよい。更に、設備機器の利用者、設置者等が設定できるようにしても良い。更に、運転が継続するような操作では、操作の内容の確認を行わずに、運転を継続しても良い。
【００９７】
操作の内容の確認の有無の設定は、浴室暖房換気乾燥装置１であれば、操作部１４に設定スイッチを設けて行えるようにしてもよい。また、運転モード選択ボタン１４ａ等の押下の組み合わせ、押下の順番で操作の内容の確認の有無の設定を行えるようにしても良い。更に、マイクを設けて音声で行えるようにしてもよい。また、外部端末装置１０５から行えるようにしても良い。
【００９８】
図８は、外部端末装置での操作で設備機器を制御する動作の他の例を示すフローチャート、図９は、外部端末装置と設備機器との間で送受される情報の流れを示す説明図、図１０は、外部端末装置での表示例を示す説明図である。次に、各図を参照して、外部端末装置１０５での操作で浴室暖房換気乾燥装置１を運転する動作の他の例について説明する。
【００９９】
図８のステップＳＢ１では、外部端末装置１０５での操作で送信された指示情報Ｄ１０が、浴室暖房換気乾燥装置１で受信される。浴室暖房換気乾燥装置１では、外部端末装置１０５から送信された指示情報Ｄ１０を受信すると、図８のステップＳＢ２で、浴室暖房換気乾燥装置１が設置された浴室２０１の所定の状態を検出し、浴室２０１の状態に応じて通知情報Ｄ２０ｂを送信する。
【０１００】
浴室暖房換気乾燥装置１は、本例では、センサ１５で浴室２０１の温度を検出し、指示情報Ｄ１０で指示された外部端末装置１０５での操作に応じた処理の実行の有無を、浴室２０１の温度に応じて選択させる通知情報Ｄ２０ｂを生成して、外部端末装置１０５に送信する。
【０１０１】
外部端末装置１０５は、浴室暖房換気乾燥装置１から送信された通知情報Ｄ２０ｂを受信すると、図８のステップＳＢ３で、通知情報Ｄ２０ｂに基づき図１０に示す運転確認画面１０５ｇを表示して、外部端末装置１０５での操作に応じた処理の実行の有無を選択させる。
【０１０２】
図１０に示す運転確認画面１０５ｇでは、浴室２０１の温度を通知すると共に、選択された運転モードの確認を促す文言や図等の確認誘導画像１０５ｈと、選択された運転モードを実行するか否かを選択させる確認ボタン１０５ｉが表示される。  
【０１０３】
例えば、外部端末装置１０５での操作で暖房運転が選択された場合、運転確認画面１０５ｇでは、図１０に示すように、検出された浴室２０１の温度と、選択された運転モードが暖房運転であることを確認誘導画像１０５ｈで通知すると共に、検出された浴室２０１の温度で暖房運転を実行するか否かを選択させる確認ボタン１０５ｉが表示される。
【０１０４】
外部端末装置１０５は、通知情報Ｄ２０ｂに対応して表示した運転確認画面１０５ｇで、確認ボタン１０５ｉが操作されると、操作に応じた処理の実行の有無を選択した確認情報Ｄ３０を送信する。
【０１０５】
浴室暖房換気乾燥装置１は、通知情報Ｄ２０ｂに対応した運転確認画面１０５ｇでの操作で外部端末装置１０５から送信された確認情報Ｄ３０を受信する。浴室暖房換気乾燥装置１は、確認情報Ｄ３０で処理の実行が選択されている場合、図８のステップＳＢ４で、指示情報Ｄ１０で指示された外部端末装置１０５での操作に応じて、換気ファン１１、循環ファン１２及びヒータ１３を制御する。
【０１０６】
これに対し、浴室暖房換気乾燥装置１は、確認情報Ｄ３０で処理の非実行が選択されていると、図８のステップＳＢ５で、指示情報Ｄ１０で指示された外部端末装置１０５での操作を無効とし、指示情報Ｄ１０で指示された外部端末装置１０５での操作に応じた制御を実行しない。
【０１０７】
上述したように、外部端末装置１０５から受信した浴室暖房換気乾燥装置１等の設備機器を制御する指示情報Ｄ１０に対し、外部端末装置１０５での操作に応じた処理の実行の有無を確認させることで、操作者が設備機器の近くにいない場合であっても、操作の内容を確認させて、運転の有無等を判断させることができる。
【０１０８】
これに対し、設備機器が設置された室内の状態等によっては、設備機器の運転が不要な場合があるが、操作者が設備機器の近くにいない場合、室内の状態を認識することができない。
【０１０９】
例えば、浴室暖房換気乾燥装置１であれば、浴室２０１内の温度が入浴に適した温度であるにも関わらず、暖房運転モードを選択して暖房運転が行われる可能性がある。また、浴室２０１内の衣類等の被乾燥物が十分乾燥しているにも関わらず、乾燥運転モードを選択して乾燥運転が行われる可能性がある。
【０１１０】
これにより、設備機器が設置された場所の状態によらず不必要な運転が行われる等、無駄な電力消費が発生する虞があった。
【０１１１】
そこで、上述したように、外部端末装置１０５から受信した浴室暖房換気乾燥装置１等の設備機器を制御する指示情報Ｄ１０に対し、設備機器の設置場所の状態、及び、外部端末装置１０５での操作の内容を通知する通知情報Ｄ２０ｂを外部端末装置１０５に送信して、外部端末装置１０５での操作に応じた処理の実行の有無を確認させる。
【０１１２】
そして、設備機器の設置場所の状態、及び、外部端末装置１０５での操作の内容が確認されて確認情報Ｄ３０を受信すると、外部端末装置１０５での操作に応じて浴室暖房換気乾燥装置１等の設備機器が運転される。
【０１１３】
このように、外部端末装置１０５を操作した操作者に、設備機器の設置場所の状態、及び、操作内容を確認させる通知を外部端末装置１０５を用いて行うことで、設備機器では、設備機器の設置場所の状態に応じて、操作者が意図した運転を行うことができる。
【０１１４】
これにより、外部端末装置１０５で遠隔操作をする操作者が、設備機器の近くにいない場合であっても、設備機器の設置場所の状態を認識でき、設備機器の設置場所の状態に応じた運転の有無を選択できるので、設備機器の設置場所を、遠隔操作で操作者の所望する環境にすることができる。また、設備機器の無駄な運転が抑制され、消費電力を抑制することができる。
【０１１５】
本例では、設備機器である浴室暖房換気乾燥装置１が設置された浴室２０１の温度を検出し、浴室２０１の温度に応じて操作内容の確認を行うようにしたが、浴室２０１の湿度に応じて操作内容の確認を行うようにしても良い。
【０１１６】
また、浴室２０１内に人が居るかどうか検出して、人の有無で操作内容の確認を行うようにしても良い。例えば、人感センサで浴室２０１内での人の動きを検出し、人の有無を通知情報Ｄ２０ｂで通知するようにしても良い。また、浴室２０１の照明スイッチの状態をセンサで検出し、照明の点灯の有無に基づき人の有無を通知情報Ｄ２０ｂで通知するようにしても良い。
【０１１７】
このように、浴室２０１内の人の有無を外部端末装置１０５に通知することで、人が居る場合は、運転をしない等の判断を操作者にさせることができる。
【０１１８】
なお、上述した実施の形態では、設備機器の設置場所の状態に応じて、操作者が操作内容の確認を行って運転の実行の有無等を判断することとした。これに対し、設備機器あるいは主制御機器１０２が、外部端末装置１０５から受信した指示情報Ｄ１０と、設備機器の設置場所の状態を示す情報に基づき、外部端末装置１０５からの指示情報Ｄ１０で指示された操作を実行するか否かを判断するようにしても良い。
【０１１９】
図１１は、外部端末装置での操作を規制する動作の一例を示すフローチャート、図１２は、外部端末装置と設備機器との間で送受される情報の流れを示す説明図、図１３は、外部端末装置での表示例を示す説明図である。次に、各図を参照して、外部端末装置１０５での操作を規制する動作の一例について説明する。
【０１２０】
浴室暖房換気乾燥装置１は、特定の外部端末装置１０５での操作、特定の外部端末装置１０５での所定の操作、あるいは、接続される全ての外部端末装置１０５での所定の操作を有効とするか、無効とするかの設定が予め行われる。
【０１２１】
図１１のステップＳＣ１では、外部端末装置１０５での操作で送信された指示情報Ｄ１０が、浴室暖房換気乾燥装置１で受信される。浴室暖房換気乾燥装置１では、外部端末装置１０５から送信された指示情報Ｄ１０を受信すると、図１１のステップＳＣ２で、外部端末装置１０５から受信した指示情報Ｄ１０で指示された操作を、該当する外部端末装置１０５に対して有効としているか、無効としているかを判断する。
【０１２２】
浴室暖房換気乾燥装置１は、該当する外部端末装置１０５での操作を有効と  していると判断すると、図１１のステップＳＣ３で、指示情報Ｄ１０で指示された外部端末装置１０５での操作に応じて、換気ファン１１、循環ファン１２及びヒータ１３を制御する。
【０１２３】
これに対し、浴室暖房換気乾燥装置１は、該当する外部端末装置１０５での操作を無効としていると判断すると、図１１のステップＳＣ４で、指示情報Ｄ１０で指示された外部端末装置１０５での操作を無効とし、指示情報Ｄ１０で指示された外部端末装置１０５での操作に応じた制御を実行しない。
【０１２４】
また、浴室暖房換気乾燥装置１は、該当する外部端末装置１０５での操作を無効としていると判断すると、図１１のステップＳＣ５で、操作が無効であることを通知する通知情報Ｄ２１を生成して、該当する外部端末装置１０５に送信する。
【０１２５】
外部端末装置１０５は、浴室暖房換気乾燥装置１から送信された通知情報Ｄ２１を受信すると、通知情報Ｄ２１に基づき図１３に示す運転確認画面１０５ｊを表示して、外部端末装置１０５での操作が無効であることを通知する。
【０１２６】
上述したように、外部端末装置１０５での操作を有効とするか、無効とするかの設定が予め行われる構成では、外部端末装置１０５で表示される運転操作画面１０５ｂにおいて、操作を無効とする運転モード選択ボタン１０５ｃについては、表示をしないことで操作を受け付けない構成とすることも考えられる。
【０１２７】
これに対し、外部端末装置１０５で表示される運転操作画面１０５ｂを共通とすることで、外部端末装置１０５にインストールするアプリケーションを簡素化することが可能となる。
【０１２８】
但し、外部端末装置１０５での操作を無効とした項目について操作をしても、操作を受け付けたか否かの判断ができない。そこで、上述したように、外部端末装置１０５から受信した浴室暖房換気乾燥装置１等の設備機器を制御する指示情報Ｄ１０に対し、該当する外部端末装置１０５での操作を有効としているか、無効としているかを判断する。
【０１２９】
そして、該当する外部端末装置１０５での操作を無効としていると判断すると、該当する外部端末装置１０５での操作が無効であることを通知することで、外部端末装置１０５の操作者は、操作が受け付けられたか否かの判断をすることができる。
【０１３０】
なお、外部端末装置１０５での操作を無効とする設定が行われている場合に、操作が無効であることを通知すると共に、パスワード入力、指紋、声紋、光彩等の眼球といった生体認証等の識別情報を受け付けることで、操作を有効に切り替えられるようにしても良い。
【０１３１】
図１４は、外部端末装置が正常に作動しているか確認する動作の一例を示すフローチャート、図１５は、外部端末装置と設備機器との間で送受される情報の流れを示す説明図、図１６は、外部端末装置での表示例を示す説明図である。次に、各図を参照して、外部端末装置１０５が正常に作動しているか確認する動作の一例について説明する。
【０１３２】
浴室暖房換気乾燥装置１等の設備機器あるいは主制御機器１０２は、図１４のステップＳＤ１で、外部端末装置１０５の動作を確認する処理を実行する。本例では、浴室暖房換気乾燥装置１あるいは主制御機器１０２は、一定時間毎、決められた時間等の所定の応答確認タイミングで、応答を要求する通知情報Ｄ２２を外部端末装置１０５に送信する。
【０１３３】
外部端末装置１０５が外部ネットワーク１０４と接続され、外部端末装置１０５と設備機器管理システム１００が通信可能な状態であれば、通知情報Ｄ２２が外部端末装置１０５で受信される。
【０１３４】
外部端末装置１０５は、通知情報Ｄ２２を受信すると、設備機器管理システム１００と通信可能な状態で、正常に動作していることを通知する確認情報Ｄ３１を送信する。
【０１３５】
浴室暖房換気乾燥装置１あるいは主制御機器１０２は、外部端末装置１０５から確認情報Ｄ３１を受信すると、図１４のステップＳＤ２で、外部端末装置１０５が正常に動作していると判断する。
【０１３６】
これに対し、浴室暖房換気乾燥装置１あるいは主制御機器１０２は、通知情報Ｄ２２に対して応答がない場合、図１４のステップＳＤ２で、外部端末装置１０５が正常に動作していないと判断する。
【０１３７】
浴室暖房換気乾燥装置１あるいは主制御機器１０２は、外部端末装置１０５が正常に動作していないと判断すると、図１４のステップＳＤ３で、操作部１４の通知ランプ１４ｅを点灯、あるいは所定のパターンで点滅させ、居住者に外部端末装置１０５で障害が発生していることを通知する。
【０１３８】
また、他の外部端末装置１０５Ｔが予め設備機器管理システム１００に登録されている場合、浴室暖房換気乾燥装置１あるいは主制御機器１０２は、外部端末装置１０５が正常に動作していないと判断すると、図１４のステップＳＤ３で、外部端末装置１０５で障害が発生していることを通知する通知情報Ｄ２３を生成して、他の外部端末装置１０５Ｔに送信する。
【０１３９】
他の外部端末装置１０５Ｔは、浴室暖房換気乾燥装置１あるいは主制御機器１０２から送信された通知情報Ｄ２３を受信すると、通知情報Ｄ２３に基づき図１６に示す異常通知画面１０５ｋを表示して、外部端末装置１０５で障害が発生していることを通知する。
【０１４０】
外部端末装置１０５で設備機器の操作を行えるようにした構成では、外部端末装置１０５で障害が発生すると、遠隔操作で設備機器の操作が行えなくなる。そこで、外部端末装置１０５で障害が発生した場合、設備機器の設置場所の近くに設置された操作部等から、外部端末装置１０５で障害が発生したことを通知することで、設備機器の近くに居て操作可能な利用者に、操作を促すことができる。
【０１４１】
浴室暖房換気乾燥装置１であれば、操作部１４に設けた通知ランプ１４ｅを利用して、外部端末装置１０５で障害が発生したことを通知することで、浴室２０１等の近くに居て操作可能な利用者に、操作を促すことができる。
【０１４２】
なお、外部端末装置１０５で障害が発生したことの通知は、音や光で行うこととしても良いし、操作部に文字等を表示できるディスプレイが設けられた構成では、文字で行うこととしても良い。また、操作部が可搬可能な構成では、振動で通知を行うこととしても良い。更に、これら通知手段を組み合わせても良い。
【０１４３】
また、他の外部端末装置１０５Ｔに通知することで、設備機器の近くに利用者が不在であっても、遠隔操作による操作を促すことができる。これにより、外部端末装置１０５からの操作で開始した運転が停止できずに連続して行われること等を抑制することができる。
【０１４４】
ここで、外部端末装置１０５で障害が発生した場合、外部端末装置１０５の操作で実行されている場合であれば、運転を停止することとしても良い。外部端末装置１０５で障害が発生した場合に、室内の操作部あるいは他の外部端末装置１０５に通知を行っても、操作がない場合は、運転が継続される。
【０１４５】
このため、外部端末装置１０５で障害が発生したと判断すると、室内の操作部あるいは他の外部端末装置１０５に通知を行い、通知後に所定時間経過しても操作が無い場合は、運転を停止することとしても良い。また、外部端末装置１０５で障害が発生したと判断すると、室内の操作部あるいは他の外部端末装置１０５に通知を行うと共に、室内の操作部あるいは他の外部端末装置１０５での操作を待たずに、運転を停止することとしても良い。
【０１４６】
更に、設備機器管理システム１００に登録されていない外部端末装置であっても、パスワード入力、生体認証等の識別情報を受け付けることで、操作を受けられるようにしても良い。設備機器管理システム１００に登録されていない外部端末装置での遠隔操作は、運転の停止のみに限定する等、室内の操作部、設備機器管理システム１００に登録されている外部端末装置１０５で可能とした操作項目に対して制限を持たせても良い。
【０１４７】
図１７は、外部端末装置が正常に作動しているか確認する動作の他の例を示すフローチャート、図１８は、外部端末装置と設備機器との間で送受される情報の流れを示す説明図、図１９及び図２０は、外部端末装置での表示例を示す説明図である。次に、各図を参照して、外部端末装置１０５が正常に作動しているか確認する動作の他の例について説明する。
【０１４８】
図１７のステップＳＥ１では、外部端末装置１０５での操作で送信された指示情報Ｄ１１が、浴室暖房換気乾燥装置１で受信される。すなわち、外部端末装置１０５では、図１９に示すように、浴室暖房換気乾燥装置１での運転を予約する運転操作画面１０５ｍが表示され、所望の運転モード選択ボタン１０５ｎに触れられて運転が予約される。
【０１４９】
外部端末装置１０５で運転が予約されると、予約された運転モードに対応する指示情報Ｄ１１が、外部ネットワーク１０４から宅内ネットワーク１０１に接続された主制御機器１０２、あるいは、操作対象の浴室暖房換気乾燥装置１に送信される。
【０１５０】
浴室暖房換気乾燥装置１は、外部端末装置１０５から送信された指示情報Ｄ１１を受信すると、図１７のステップＳＥ２で、予約された運転開始時間まで所定時間となると、指示情報Ｄ１１で指示された外部端末装置１０５での操作に応じた処理の実行の有無を選択させる通知情報Ｄ２４を生成して、外部端末装置１０５に送信する。
【０１５１】
外部端末装置１０５は、浴室暖房換気乾燥装置１から送信された通知情報Ｄ２４を受信すると、図１７のステップＳＥ３で、通知情報Ｄ２４に基づき図２０に示す運転確認画面１０５ｐを表示して、外部端末装置１０５での予約に応じた処理の実行の有無を選択させる。
【０１５２】
図２０に示す運転確認画面１０５ｐでは、予約された運転開始時間、及び、予約された運転モードの確認を促す文言や図等の確認誘導画像１０５ｑと、予約された運転モードを実行するか否かを選択させる確認ボタン１０５ｒが表示される。
【０１５３】
例えば、外部端末装置１０５での操作で暖房運転が予約された場合、運転確認画面１０５ｐでは、図２０に示すように、予約された運転モードが暖房運転であることと、運転開始までの時間を確認誘導画像１０５ｑで通知すると共に、予約された運転開始時間に暖房運転を実行するか否かを選択させる確認ボタン１０５ｒが表示される。
【０１５４】
外部端末装置１０５は、通知情報Ｄ２４に対応して表示した運転確認画面１０５ｐで、確認ボタン１０５ｒが操作されると、操作に応じた処理の実行の有無を選択した確認情報Ｄ３２を送信する。
【０１５５】
浴室暖房換気乾燥装置１は、通知情報Ｄ２４に対応した運転確認画面１０５ｐでの操作で外部端末装置１０５から送信された確認情報Ｄ３２を受信する。浴室暖房換気乾燥装置１は、確認情報Ｄ３２で処理の実行が選択されている場合、図１７のステップＳＥ４で、指示情報Ｄ１１で予約された外部端末装置１０５での操作に応じて、予約された運転開始時間に換気ファン１１、循環ファン１２及びヒータ１３を制御する。
【０１５６】
これに対し、浴室暖房換気乾燥装置１は、確認情報Ｄ３２で処理の非実行が選択されていると、図１７のステップＳＥ５で、指示情報Ｄ１１で指示された外部端末装置１０５での予約を無効とし、指示情報Ｄ１０で指示された外部端末装置１０５での操作に応じた制御を実行しない。
【０１５７】
外部端末装置１０５で設備機器の操作を行えるようにした構成では、外部端末装置１０５で運転を予約する操作を行った後、外部端末装置１０５で障害が発生すると、外部端末装置１０５で操作内容の確認が行えない。
【０１５８】
そこで、外部端末装置１０５での操作で予約された運転開始時間まで所定時間となると、外部端末装置１０５での操作内容の確認を促す通知情報Ｄ２４を外部端末装置１０５に送信する。そして、外部端末装置１０５から確認情報Ｄ３２が送信されない場合、外部端末装置１０５で障害が発生したと認定して、外部端末装置１０５での予約による運転を実行しない。
【０１５９】
これにより、外部端末装置１０５で運転を予約する操作を行った後、外部端末装置１０５で障害が発生して、外部端末装置１０５で操作内容の確認が行えない場合には、予約による運転を実行しないようにすることができる。
【０１６０】
＜本実施の形態の設備機器及び設備機器管理システムの変形例＞
上述した実施の形態では、外部端末装置１０５から受信した各種指示情報Ｄ１に対し、浴室暖房換気乾燥装置１等の設備機器あるいは主制御機器１０２が、外部端末装置１０５での操作の内容等を通知する各種通知情報Ｄ２を送信することとした。
【０１６１】
これに対し、浴室暖房換気乾燥装置１等の設備機器あるいは主制御機器１０２から、外部端末装置１０５に所定の通知情報Ｄ２を通知することとしても良い。すなわち、外部端末装置１０５での操作によらず、設備機器等で取得した所定の情報に基づき、設備機器側から情報の発信と操作を促す通知情報Ｄ２５を送信する。ここで、通知情報Ｄ２５の送信の有無、通知情報Ｄ２５を送信する条件は、予め設定できるようにしても良い。
【０１６２】
設備機器が浴室暖房換気乾燥装置１であれば、センサ１５で検出した浴室２０１の温度、湿度等に応じて、所定の運転モードの運転開始あるいは運転停止等の操作を促す通知情報Ｄ２５が生成されて外部端末装置１０５に送信される。
【０１６３】
例えば、暖房運転を要求する温度情報が設定され、浴室２０１の温度が所定の暖房運転要求温度となると、暖房運転モードの運転開始の操作を促す通知情報が生成されて外部端末装置１０５に送信される。暖房運転モードの運転開始の操作を促す通知情報に対して、外部端末装置１０５から暖房運転を開始する操作が行われた所定の情報を受信すると、浴室暖房換気乾燥装置１では、暖房運転モードを実行する。
【０１６４】
なお、暖房運転モードの運転開始の操作を促す通知情報に対して、浴室暖房換気乾燥装置１から指示情報を送信させ、指示情報に対して操作の内容を確認させる通知情報を送信し、通知情報に対する確認情報に基づき、浴室暖房換気乾燥装置１の制御が行われるようにしても良い。
【０１６５】
他の運転モードでも同様で、乾燥運転を要求する湿度情報が設定され、浴室２０１の湿度が所定の乾燥運転要求湿度となると、乾燥運転モードの運転開始の操作を促す通知情報が生成されて外部端末装置１０５に送信される。
【０１６６】
また、乾燥運転の停止を要求する湿度情報が設定され、被乾燥物である衣類が乾燥する等により、浴室２０１の湿度が所定の乾燥運転停止要求湿度となると、乾燥運転モードの運転停止の操作を促す通知情報が生成されて外部端末装置１０５に送信される。なお、運転を停止することを外部端末装置１０５に通知すると、外部端末装置１０５での操作によらず、運転を停止しても良い。
【０１６７】
他の設備機器でも同様で、設備機器がエアコンディショナーであれば、冷房運転を要求する温度情報が設定され、室内の温度が所定の冷房運転要求温度となると、冷房運転モードの運転開始の操作を促す通知情報が生成されて外部端末装置１０５に送信される。
【０１６８】
また、設備機器が床暖房装置であれば、床暖房運転を要求する温度情報が設定され、室内の温度が所定の床暖房運転要求温度となると、床暖房運転モードの運転開始の操作を促す通知情報が生成されて外部端末装置１０５に送信される。
【産業上の利用可能性】
【０１６９】
本発明は、住宅に設置される熱源を有する浴室暖房換気乾燥装置、レンジフード、熱交換型換気装置等の他の換気装置、エアコンディショナー等の空調装置、空気清浄装置、熱源を有する床暖房装置等に適用される。
【符号の説明】
【０１７０】
１・・・浴室暖房換気乾燥装置、１０・・・通信制御部、１４・・・操作部、１６・・・制御部、１００・・・設備機器管理システム、１０１・・・宅内ネットワーク、１０２・・・主制御機器、１０５・・・外部端末装置
【図１】
2014236281.tif 000003
【図２】
2014236281.tif 000004
【図３】
2014236281.tif 000005
【図４】
2014236281.tif 000006
【図５】
2014236281.tif 000007
【図６】
2014236281.tif 000008
【図７】
2014236281.tif 000009
【図８】
2014236281.tif 000010
【図９】
2014236281.tif 000011
【図１０】
2014236281.tif 000012
【図１１】
2014236281.tif 000013
【図１２】
2014236281.tif 000014
【図１３】
2014236281.tif 000015
【図１４】
2014236281.tif 000016
【図１５】
2014236281.tif 000017
【図１６】
2014236281.tif 000018
【図１７】
2014236281.tif 000019
【図１８】
2014236281.tif 000020
【図１９】
2014236281.tif 000021
【図２０】
2014236281.tif 000022